(57)【特許請求の範囲】
【請求項１】
大径の頭部と外周に２条以上の螺旋状溝が設けられた小径の柱部とを有するフロアパネル固定部材と、フロアパネルを載置し前記フロアパネル固定部材の柱部の螺旋状溝に係合する２以上の突起が設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするフリーアクセスフロア。
【請求項２】
大径の頭部と螺旋状切欠が設けられた小径の柱部とを有するフロアパネル固定部材と、フロアパネルを載置し前記フロアパネル固定部材の柱部の螺旋状切欠に係合する係合ピンが設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするフリーアクセスフロア。
【請求項３】
大径の頭部と柱軸に直交して２以上の突起が設けられた小径の柱部とを有するフロアパネル固定部材と、フロアパネルを載置し前記フロアパネル固定部材の柱部の突起に係合する螺旋状溝を有する円筒部材を内面に設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするフリーアクセスフロア。
【請求項４】
大径の頭部と２条以上の多条雄ねじが設けられた小径の柱部とを有するフロアパネル固定部材と、フロアパネルを載置し前記フロアパネル固定部材の多条雄ねじに螺合する雌ねじ孔が設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするフリーアクセスフロア。
【請求項５】
前記螺旋状溝を有する円筒部材は、該溝形状の切欠を有する板材を巻いて成形することを特徴とする請求項３に記載のフリーアクセスフロア。
【請求項６】
前記フロアパネル固定部材または前記円筒部材に設けられた螺旋状溝又は螺旋状切欠は、前記突起または前記係合ピンへの係合開始部分のねじり角が大きく、係合終了部分のねじり角が小さいことを特徴とする請求項１から３のいずれかに記載のフリーアクセスフロア。
【請求項７】
前記フロアパネル支持部材に弾性材を設置したことを特徴とする請求項１から４のいずれかに記載のフリーアクセスフロア。
【発明の詳細な説明】
【０００１】
【発明の属する技術分野】
本発明は、フロアパネルを支持脚に固定するフリーアクセスフロアに関するものである。
【０００２】
【従来の技術】
床面に設置した支持脚にフロアパネルの４隅を固定してフリーアクセスフロアを構成しているが、このフロアパネルの固定方法として通常のボルトなどを使用すると固定に時間を要するので、簡易にワンタッチで固定することが望ましい。そのために、特公平５−４６４１８、特開平７−２３３６１８など多くの発明が開示されている。
【０００３】
【発明が解決しようとする課題】
しかしながら、前記特公平５−４６４１８の固定装置は回転による締代が小さいためにパネルの浮き上がりなどの場合の固定に対応し難い欠点がある。また、特開平７−２３３６１８の固定装置は止め具の縦溝と螺旋状傾斜溝にパネル押さえの突起を係合させて固定するものであるが、突起が一か所のためにパネルの４隅が均等に締め付けられないという問題点がある。
【０００４】
これらの点から、さらに締代が大きく、パネルが均等にワンタッチで締め付けられるフリーアクセスフロアが要求されている。
【０００５】
そこで本発明は、上記問題点を解決し、フロアパネルをワンタッチで固定でき、締代が大きく、パネルが均等に締め付けられるフリーアクセスフロアを提供することを目的とする。
【０００６】
【課題を解決するための手段】
上記目的を達成するために、本発明のフリーアクセスフロアは、大径の頭部と外周に２条以上の螺旋状溝が設けられた小径の柱部とを有するフロアパネル固定部材と、フロアパネルを載置し前記フロアパネル固定部材の柱部の螺旋状溝に係合する２以上の突起が設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするものである。
【０００７】
すなわち、本発明のフリーアクセスフロアは、一般のねじよりねじり角の大きい螺旋状溝と突起を係合させてパネルを固定するので、パネルの着脱の際に固定部材の回転角が小さくてすむ。すなわちワンタッチでパネルの着脱ができる。これにより、締代が大きくできパネルが浮き上がった場合も容易に緊締できる。またパネルの固定の緊締の場合もワンタッチでできるとともに、パネルの取り外しの際に固定部材を緩めると頭部がパネルの面から浮き上がるので容易に固定部材の取り外しができる。さらに、従来の突起が１個の固定部材では固定部材が傾いて４枚のパネルが均等に固定できない場合が生ずるが、本発明では２個以上の突起と２条以上の螺旋状溝を備えているので、傾くことがなく４枚のパネルで構成する固定部を均等に緊締できるという特徴がある。また１個の突起が破損し場合もパネルが外れるようなことがない。ここでフロアパネル支持部材とは、床面に設置される支持脚とフロアパネルを受けて保持する調整台とを含むものをいう。また螺旋状溝とは等ねじり角度の螺旋のみでなく部分的にねじり角度の異なる螺旋状の形状をもいう。
【０００８】
また本発明のフリーアクセスフロアは、大径の頭部と螺旋状切欠が設けられた小径の柱部とを有するフロアパネル固定部材と、フロアパネルを載置し前記フロアパネル固定部材の柱部の螺旋状切欠に係合する係合ピンが設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするものである。
【０００９】
本構成のフリーアクセスフロアも螺旋状溝と係合部を係合させてパネルを緊締するものであるが、本構成は係合孔に突起の代わりに係合ピンを直交して設け、これと固定部材の螺旋状切欠とを係合させて緊締することに特徴がある。このような構成にすると係合孔の突起のような特殊な成形が不要になり工作が容易になるという特徴がある。
【００１０】
また本発明のフリーアクセスフロアは、大径の頭部と柱軸に直交して２以上の突起が設けられた小径の柱部とを有するフロアパネル固定部材と、フロアパネルを載置し前記フロアパネル固定部材の柱部の突起に係合する螺旋状溝を有する円筒部材を内面に設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするものである。
【００１１】
前記螺旋状溝を有する円筒部材は管材から成形してもよいが、該溝形状の切欠を有する板材を巻いて成形することが簡易に螺旋状溝を成形するために望ましい。
【００１２】
本構成は固定部材に突起を設け、係合孔に螺旋状溝を設けて緊締するものである。通常係合孔に螺旋状溝を成形するには工数を要するが、本発明では係合孔の内周に螺旋状溝を有する円筒部材を接着などにより固着することにより成形するので極めて容易である。さらに、この円筒部材を溝形状の切欠を有する板材を巻いて成形することにより一層簡易になる。
【００１３】
さらに本発明のフリーアクセスフロアは、大径の頭部と２条以上の多条雄ねじが設けられた小径の柱部とを有するフロアパネル固定部材と、フロアパネルを載置し前記フロアパネル固定部材の多条雄ねじに螺合する雌ねじ孔が設けられた係合孔を有するフロアパネル支持部材とを備えたフリーアクセスフロアにおいて、前記フロアパネル固定部材の大径の頭部下面に小突起が設けられ、載置されるフロアパネルの固定面に前記小突起に係合する複数の切込みが設けられたことを特徴とするものである。
【００１４】
このように、パネルの緊締に多条ねじを使用することにより、固定部材の少ない回転でパネルの脱着ができ、かつ締代が大きく取れるので浮き上がったパネルの緊締が容易にできるとともに、取り外しの際に固定部材の飛び出しが大きく取れて取り外しが容易になる。
【００１５】
前記フロアパネル固定部材または円筒部材に設けられた螺旋状溝又は螺旋状切欠は、前記突起または前記係合ピンへの係合開始部分のねじり角が大きく、係合終了部分のねじり角が小さいことが望ましい。前述の特開平７−２３３６１８の固定部材では縦溝と螺旋状傾斜溝に突起を係合させているが、固定部材の締代は突起が螺旋状傾斜溝に噛み込んだ位置から決定されるために締代が大きく取れないため浮上がったパネルの緊締などの場合に問題がある。本発明は突起などに係合が開始する部分のねじり角が大きくされているので、噛み合い始めから固定部材を引き込む力が働き、係合が終了する部分のねじり角が小さくされているので固定部材を回り戻す力が小さく緩みを生ずることがない。このため締代を大きくすることができ前記従来方法の欠点が解消される。なお、係合終了部分のねじり角は０に近い角度にすることができる。
【００１６】
上記本発明のフリーアクセスフロアは、前記フロアパネル固定部材の大径の頭部下面に小突起が設けられ、載置されるフロアパネルの固定面に前記小突起に係合する複数の切込みが設けられることにより、フロアパネルの緊締時にこの小突起と切込みが噛み合うので押さえ部材の緩み防止の効果が大きい。
【００１７】
さらに前記フロアパネル支持部材に弾性材を設置することにより、一層押さえ部材の緩み防止を強固にすることができる。
【００１８】
【発明の実施の形態】
以下、本発明の実施の形態を図面により具体的に説明する。
【００１９】
［第１実施形態］
図１は本発明第１実施形態のフロアパネルの固定部材の構成を示す斜視図、図２は図１のＡ−Ａ断面図、図３は図２のＢ視図、図４は固定部材の螺旋状溝の形状を示す展開図である。
【００２０】
これらの図を用いて本発明のフリーアクセスフロアの構造を説明する。本発明のフリーアクセスフロアは、フロアパネル１とフロアパネル固定部材２０とフロアパネル支持部材とを備え、フロアパネル支持部材は調整台１０と支持脚７とから構成されている。調整台１０は円板の台座１１上の中心に固定部材２０の柱部２２の外径が遊合する内径を有する係合孔１３が設けられ、その回りに４つ爪状に４個の受部１２が等角度に配設されている。係合孔１３の入口に柱部２２の螺旋状溝２３に係合する２個の突起１４が設けられている。
【００２１】
調整台１０の係合孔１３の下部のボス１６に軸心を同じくしてねじ孔１６ａが設けられ、床面に配置される支持脚７の基板５に立設された調整ねじ６に螺合されて調整台１０の高さが調整され、図示しない止めねじにより固定されるようになっている。前記台座１１はリブ１１ａにより補強されてボス１６に固定されている。
【００２２】
調整台１０の受部１２には位置決め溝１２ａが設けられ、図示しないパネル下面の位置決め部材に係合するようになっている。また、パネル１の下面に接する部分にゴム、プラスチックなどの弾性体１５が接着されている。これによってパネル１を緊締した際に受部１２との密着がよくがたが生じない。
【００２３】
台座１１の４個の受部の中間に等間隔に４本のノックピン１７が突設され、パネル１の下面に設けられた位置決め孔に挿入されて位置決め溝１２ａとともにパネル１の位置決めをするようになっている。
【００２４】
パネル１の４隅には４枚のパネルで形成する固定孔２と固定面３と座孔４が設けられている。固定部材２０は大径の頭部２１と小径の柱部２２からなる２段円柱をなし、柱部２２の外径は前記固定孔２の径よりやや小さく、頭部２１の外径は座孔４の径よりやや小さく、座孔４の深さよりよりやや低い高さになっている。頭部２１の上面にはドライバ溝２５が設けられている。
【００２５】
固定部材２０の柱部２２の外周には螺旋状溝２３が設けられている。螺旋状溝２３は図４の展開図に示す形状をなし、この溝が係合孔１３の突起１４に係合する。図に示すように螺旋状溝２３は、侵入部２３ａと係合開始部２３ｂと係合終了部２３ｃとからなり、係合開始部２３ｂのねじり角αが大きく、係合終了部２３ｃのねじり角βが小さくされている。このようにねじり角の大きい噛み付きを設けることにより、前記従来の特開平７−２３３６１８の縦溝と螺旋状傾斜溝の形状の固定部材に比して締代を大きくとることができ、浮き上がったパネルを固定することが容易になる。また、係合終了部のねじり角を小さくすることによりパネルの締め力を大きくとることができ、緩みも減少できる。この係合終了部のねじり角は０に近くしてもよい。
【００２６】
また、固定部材２０の頭部２１の下面の４か所に小突起２４が設けられ、フロアパネル１の固定面３に図２及び図５に示すようにこの小突起２４に係合する複数の切込み３ａが放射状に設けられている。
【００２７】
以下、上記第１実施形態の構成のフリーアクセスフロアの操作について説明する。まず、床面に支持脚７の基板５を設置して、調整ねじ６に調整台１０のねじ孔１６ａを螺入して高さを調整し、図示しない止めねじで調整ねじ６とボス１６を固定する。次にフロアパネル１を位置決め溝１２ａとノックピン１７に係合させて調整台１０の上の定位置に置く。そして、固定部材２０の柱部２２を調整台１０上に載置されたパネル１の隅部が形成する固定孔２に挿通させて係合孔１３に挿入し、螺旋状溝２３の侵入部２３ａを突起１４に合わせて固定部材２０を回転してねじ込む。
【００２８】
すると、螺旋状溝２３の係合開始部２３ｂが突起１４に係合して固定部材２０が引き込まれ、突起１４が係合終了部２３ｃにきてパネル１が調整台１０に固定される。このとき、パネル１と調整台１０の間に弾性材１５が介在するので、パネル１は確実に固定される。また、パネルを固定した位置で、固定部材２０の頭部２１の下面の小突起２４がパネルの固定座面の切込み３ａに食い込んで固定部材２０の回り止めをする
【００２９】
このように本発明のフロアパネルの固定部材によれば、固定部材を半回転たらず回転させることによりワンタッチでパネルを固定することがで、また大きなねじり角を有する係合開始部２３ｂが設けられているので、螺旋状溝２３の侵入部２３ａを縦溝にした従来の固定部材に比して大きな締代を得ることができる。そしてパネルと調整台が弾性的に接触し、固定された位置で回り止めされるので固定が緩むことがない。また、取り外しの際に固定部材２０を逆回転すると、固定部材２０がフロアパネルの面から浮き上がるので抜き取りが容易である。
【００３０】
［第２実施形態］
次に本発明の第２実施形態について説明する。図６は第２実施形態の固定部材の上面図、図７は図６のＣ−Ｃ断面図である。図において調整台１０１は第１実施形態と近似するので同一部分は同記号を使用し、第１実施形態と異なる部分について説明する。
【００３１】
調整台１０１は円板の台座１１上の中心に係合孔１３１が設けられ、その回りに４個の受部１２が配設されることは第１実施形態と同じである。係合孔１３１は固定部材２０１の柱部２２１の外径が遊合する内径を有し、係合孔１３１に軸線に直交して柱部２２１の螺旋状切欠２３１に係合する係合ピン１４１が設けられている。
【００３２】
固定部材２０１は大径の頭部２１１と小径の柱部２２１からなり、頭部２１１の下面に２個の小突起２４１が設けられ上面にドライバ溝２５１が設けられている。そして、フロアパネル１の固定面３にこの小突起２４１に係合する複数の切込み３ａが放射状に設けられている点は第１実施形態に近似している。固定部材２０１の柱部２２１は螺旋状溝を形成するように切欠かれた二股爪状の切欠２３１になって、この螺旋状切欠２３１が係合孔１３１の係合ピン１４１に係合する形状をなしている。
【００３３】
以下、上記第２実施形態の構成のフロアパネルの固定部材の操作について説明する。床面に基板５を設置してフロアパネル１を調整台１０の上に置くまでの操作は第１実施形態と同様である。次に固定部材２０１の柱部２２１を調整台１０上に載置されたパネル１の隅部が形成する固定孔２に挿通させて係合孔１３１に挿入し、二股爪の螺旋状切欠２３１を係合ピン１４１に合わせ固定部材２０１を回転させてねじ込む。
【００３４】
こうすると、螺旋状切欠２３１が係合ピン１４１に係合して固定部材２０１が引き込まれパネル１が調整台１０１に固定される。このように本実施形態のフロアパネルの固定部材によれば、固定部材を半回転たらず回転させることによりワンタッチでパネルを固定することができる。また、パネルを固定した位置で、固定部材２０１の小突起２４１がパネルの固定面の切込み３ａにより回り止めされ、固定部材２０１を逆回転するとフロアパネルの面から浮き上がり抜き取りが容易であることも第１実施形態と同様の効果がある。
【００３５】
本第２実施形態によれば、第１実施形態の係合孔１３の突起１４の成形のような特殊加工を要せず、係合ピン１４１を挿入するだけでよいので加工が容易であるという利点がある。
【００３６】
［第３実施形態］
次に本発明の第３実施形態について説明する。図１０は第３実施形態の固定部材の断面図、図１１は螺旋状溝を有する円筒部材の斜視図、図１２は図１１の展開図である。第３実施形態も他の実施形態と近似する部分は同記号を使用し異なる部分について説明する。
【００３７】
調整台１０３は円板の台座１１上の中心に係合孔１３３が設けられ、その回りに受部１２が配設されている。係合孔１３３には螺旋状溝を有する円筒部材１４３が内挿されて接着剤などで固着され、その内周に螺旋状溝１４３ａを形成している。
【００３８】
螺旋状溝を有する円筒部材１４３は、図１２の展開図に示すような２条の螺旋状溝を形成する切欠１４３ａが設けられた板材を図１１に示すように巻いて円筒状に成形されている。そして、この円筒部材１４３が係合孔１３３の内面に接着剤などで接着される。こうすることにより螺旋状溝の成形が他の加工法より簡易かつ安価にできる。
【００３９】
固定部材２０３は大径の頭部２１３と小径の柱部２２３からなる２段円柱をなし、柱部２２３の先端部に前記螺旋状溝１４３ａに係合する２個の突起２３３が設けられている。そして、頭部２１３の下面に小突起が設けられ、フロアパネルの固定面にこの小突起に係合する複数の切込みが放射状に設けられている点は第１、第２実施形態と同じであるが、図示を省略する。
【００４０】
本第３実施形態の構成のフロアパネルの固定部材の操作も、フロアパネル１を調整台１０の上に置き、固定部材２０３の柱部２２３をパネル１の固定孔２に挿通して、固定部材２０３の突起２３３を調整台１０３の螺旋状溝１４３ａに係合させ、固定部材２０３を回転させてねじ込むことによりパネル１を固定する。これにより、前記他の実施形態と同様な効果が得られてフロアパネルの固定の脱着が容易である。本実施形態は、特殊な加工を要しないので、構造が簡単で安価に製造できる特徴がある。
【００４１】
［第４実施形態］
次に本発明の第４実施形態について説明する。図８は第４実施形態の固定部材と調整台の断面図、図９は第４実施形態の固定部材の詳細図である。図において調整台１０２も前記他の実施形態と近似するので同一部分は同記号を使用し異なる部分について説明する。
【００４２】
調整台１０２は、円板の台座１１上の中心に固定部材２０２の多条雄ねじ２３２に螺合する多条ねじ孔１３２が設けられ、その回りに４個の受部１２が配設されている。本実施形態では多条ねじを２条ねじとしたが３条又は４条ねじとしてもよい。
【００４３】
固定部材２０２は大径の頭部２１２と調整台１０２の多条ねじ孔１３２に螺合する多条雄ねじ２３２からなっている。また、多条雄ねじ２３２の側面を図９に示すように平面部２３２ａに削り取っておくと、ねじ込み抵抗を少なくすることができる。その他、固定部材２０２の頭部２１２の下面の小突起、ドライバ溝２５２、及びフロアパネルの固定面の複数の切込みが放射状など第３実施形態と同じであるが、図示の詳細を省略する。
【００４４】
以下、上記第４実施形態の構成のフロアパネルの固定部材の操作について説明する。フロアパネル１を調整台１０の上に置き、固定部材２０２の多条雄ねじ２３２をパネル１の固定孔２に挿通して、多条雄ねじ２３２を調整台１０２の多条ねじ孔１３２に螺合させ固定部材２０２を回転させてねじ込む。こうすると、多条ねじであるので少ない回転で締代が大きく、前記第１、第２実施形態と同様な効果が得られてフロアパネルの固定の脱着が容易である。
【００４５】
以上述べたように、本発明実施形態のフリーアクセスフロアは、パネルを支持する調整台の係合孔に２以上の突起を設け、この突起を固定部材の２条以上の螺旋状溝に係合させてパネルの固定面を緊締して固定するので、固定部材の小さい回転角、すなわちワンタッチでパネルの着脱ができ、締代が大きくパネルが浮き上がっている場合も容易に緊締できる。
【００４６】
また、パネルの取り外しの際に、固定部材を緩めると頭部がパネルの面から浮き上がるので容易に固定部材の取り外しができる。さらに、本発明は２以上の突起と２条以上の螺旋状溝を係合させるので、突起が１個の固定部材のように固定部材が傾いて４枚のパネルが均等に固定できないようなことがなく４枚の固定部が均等に緊締され、また１個の突起が破損し場合もパネルが外れるようなことがないという特徴がある。
【００４７】
また、前記固定部材の螺旋状溝は、突起との係合開始部のねじり角を大きく、係合終了部のねじり角を小さくすることにより、縦溝と螺旋状溝との係合に比して固定部材の締代が大きく取れ、緩みを生ずることもない。
【００４８】
また、固定部材の頭部の下面に小突起を設け、フロアパネルの固定面に切込みを設けて、緊締時にこの小突起と切込みが噛み合うようにすれば固定部材の緩みを防止することができる。さらに調整台の受部に弾性材を装着することにより、一層固定部材の緩み防止を強固にすることができる。
【００４９】
また本発明のフリーアクセスフロアは、前記調整台の係合孔に直交した係合ピンを設け、固定部材の螺旋状切欠をこの係合ピンに係合させてパネルの固定面を緊締してパネルを固定してもよい。こうすれば加工が簡単で上記と同様の効果が得られる。
【００５０】
さらに本発明のフリーアクセスフロアは、調整台の係合孔内周に螺旋状溝を有する円筒部材を固着して２条以上の螺旋溝を形成させ、固定部材に設けられた突起をこの螺旋状溝に係合させてパネルの固定面を緊締して固定するようにしてもよい。この場合、螺旋状溝を有する円筒部材は管材から成形してもよいが、該溝形状の切欠を有する板材を巻いて成形することが簡易に螺旋状溝を成形するために望ましい。
【００５１】
このように係合孔の内周に螺旋状溝を有する円筒部材を接着などにより固着するようにすれば、螺旋状溝の成形に工数を要しないで成形が極めて容易であり、これによっても上記と同様の効果が得られる。
【００５２】
また本発明のフリーアクセスフロアは、前記調整台の係合孔に２以上の多条の雌ねじを設けて、この雌ねじに固定部材の多条雄ねじに螺合してパネルの固定面を緊締して固定するようにしてもよい。これによっても上記と同様の効果が得られる。
【００５３】
【発明の効果】
以上説明したように本発明のフロアパネルは、ワンタッチでフロアパネルの着脱ができ、簡易にパネル４隅が均等に固定されるので、フロアパネル設置工事が容易になりコスト低減が可能になる。
【図面の簡単な説明】
【図１】  本発明第１実施形態のフリーアクセスフロアの斜視図
【図２】  図１のＡ−Ａ断面図
【図３】  図２のＢ視図
【図４】  本発明第１実施形態の固定部材の螺旋状溝の展開図
【図５】  本発明実施形態のフロアパネルの固定面の切込みの詳細を示す図
【図６】  本発明第２実施形態のフリーアクセスフロアの上面図
【図７】  図６のＣ−Ｃ断面図
【図８】  本発明第３実施形態のフリーアクセスフロアの断面図
【図９】  本発明第３実施形態の固定部材の詳細図
【図１０】  本発明第４実施形態のフリーアクセスフロアの断面図
【図１１】  本発明第４実施形態の螺旋状溝を有する円筒体の斜視図
【図１２】  図１１の円筒体の展開図
【符号の説明】
１  フロアパネル、２  固定孔、３  固定面、３ａ  切込み、４  座孔、５  基板、６  調整ねじ、７  支持脚、１０  調整台、１１  台座、１２  受部、１３  係合孔、１４  突起、１５  弾性材、１６  ボス、１７  ノックピン、２０  固定部材、２１  頭部、２２  柱部、２３  螺旋状溝、２４  小突起、２５  ドライバ溝、１３１  係合孔、１４１  係合ピン、２０１  固定部材、２１１  頭部、２２１  柱部、２３１  螺旋状溝、２４１  小突起、２５１  ドライバ溝、１３２  多条雌ねじ、２０２  固定部材、２１２  頭部、２３２  多条雄ねじ、２４２  小突起、２５２  ドライバ溝、１３３  係合孔、１４３  円筒体、２０３  固定部材、２１３  頭部、２２３  柱部、２３３  突起
【図１】
0004043792.tif 000002
【図２】
0004043792.tif 000003
【図３】
0004043792.tif 000004
【図４】
0004043792.tif 000005
【図５】
0004043792.tif 000006
【図６】
0004043792.tif 000007
【図７】
0004043792.tif 000008
【図８】
0004043792.tif 000009
【図９】
0004043792.tif 000010
【図１０】
0004043792.tif 000011
【図１１】
0004043792.tif 000012
【図１２】
0004043792.tif 000013